【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
遊技中に使用される遊技盤と、その遊技盤を受け入れ可能な側である一側が開放される内枠と、その内枠の前記一側を閉塞可能な正面枠と、を備え、
前記正面枠は、前記遊技盤と外部との間で連通される経路に配設される配設手段を備え、
前記配設手段は、
前記遊技盤よりも下側において前記経路と交差するように配置される板状部と、
その板状部から下側に向けて延設される第１延設部と、
前記板状部から下側に向けて延設され前記第１延設部に対して対向配置される第２延設部と、を備え、
前記配設手段は、前記内枠が前記正面枠により閉塞されていない所定状態において視認され得るよう構成され、
前記内枠は、前記正面枠に閉塞された状態において前記配設手段に対向する対向部を備え、
前記経路は、前記正面枠と前記内枠との間に位置することを特徴とする遊技機。
【請求項２】
基板ボックスを備えることを特徴とする請求項１記載の遊技機。
【手続補正２】
【補正対象書類名】明細書
【補正対象項目名】０００２
【補正方法】変更
【補正の内容】
【０００２】
パチンコ機などの遊技機において、不正行為に対する不正防止を図るための手段を備える遊技機がある（特許文献１）。
【手続補正３】
【補正対象書類名】明細書
【補正対象項目名】０００３
【補正方法】変更
【補正の内容】
【０００３】
【特許文献１】特開２０１６−２６５７３号公報
【手続補正４】
【補正対象書類名】明細書
【補正対象項目名】０００４
【補正方法】変更
【補正の内容】
【０００４】
しかしながら、上述した従来の遊技機では、不正防止の機能に改良の余地があるという問題点があった。本発明は、上記例示した問題点などを解決するためになされたものであり、不正防止の機能の良好な遊技機を提供することを目的とする。
【手続補正５】
【補正対象書類名】明細書
【補正対象項目名】０００５
【補正方法】変更
【補正の内容】
【０００５】
この目的を達成するために請求項１記載の遊技機は、遊技中に使用される遊技盤と、その遊技盤を受け入れ可能な側である一側が開放される内枠と、その内枠の前記一側を閉塞可能な正面枠と、を備え、前記正面枠は、前記遊技盤と外部との間で連通される経路に配設される配設手段を備え、前記配設手段は、前記遊技盤よりも下側において前記経路と交差するように配置される板状部と、その板状部から下側に向けて延設される第１延設部と、前記板状部から下側に向けて延設され前記第１延設部に対して対向配置される第２延設部と、を備え、前記配設手段は、前記内枠が前記正面枠により閉塞されていない所定状態において視認され得るよう構成され、前記内枠は、前記正面枠に閉塞された状態において前記配設手段に対向する対向部を備え、前記経路は、前記正面枠と前記内枠との間に位置する。
【手続補正６】
【補正対象書類名】明細書
【補正対象項目名】０００６
【補正方法】変更
【補正の内容】
【０００６】
請求項２記載の遊技機は、請求項１記載の遊技機において、基板ボックスを備える。
【手続補正７】
【補正対象書類名】明細書
【補正対象項目名】０００８
【補正方法】変更
【補正の内容】
【０００８】
請求項１記載の遊技機によれば、不正防止の機能を良好にすることができる。
【手続補正８】
【補正対象書類名】明細書
【補正対象項目名】０００９
【補正方法】変更
【補正の内容】
【０００９】
請求項２記載の遊技機によれば、請求項１記載の遊技機の奏する効果に加え、基板ボックスに基板を収容することができる。
【手続補正９】
【補正対象書類名】明細書
【補正対象項目名】２５５９
【補正方法】変更
【補正の内容】
【２５５９】
遊技機Ａ１からＡ８，Ｂ１からＢ３，Ｃ１からＣ３，Ｄ１からＤ６，Ｅ１からＥ４，Ｆ１からＦ６，Ｇ１からＧ６，Ｈ１からＨ７，Ｉ１からＩ６，Ｊ１からＪ５，Ｋ１からＫ７，Ｌ１からＬ３，Ｍ１からＭ５，Ｎ１からＮ５，Ｏ１からＯ５，Ｐ１からＰ９，Ｑ１からＱ１１，Ｒ１からＲ８，Ｓ１からＳ９，Ｔ１からＴ９，Ｕ１からＵ７のいずれかにおいて、前記遊技機はパチンコ遊技機とスロットマシンとを融合させたものであることを特徴とする遊技機Ｚ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機などの遊技機において、ＬＥＤ光を板状部材の端部から入射させ表面から出射させる遊技機がある（例えば、特許文献１：特開２０１５−１５９８７５号公報）。
しかしながら、上述した従来の遊技機では、発光演出の演出効果の観点から改良の余地があるという問題点があった。本技術的思想は、上記例示した問題点などを解決するためになされたものであり、発光演出の演出効果を良好とする遊技機を提供することを目的とする。
＜手段＞
この目的を達成するために技術的思想１の遊技機は、発光可能に構成される発光手段と、光を導光可能とする導光手段と、を備え、その導光手段は、前記発光手段から照射される光を第１の態様で導光する第１導光手段と、前記発光手段から照射される光を前記第１の態様とは異なる態様で導光する第２導光手段とを備える。
技術的思想２の遊技機は、技術的思想１記載の遊技機において、前記導光手段は、前記発光手段からの距離の違いに対応して、光らせ方が段階的に変化するように構成される。
技術的思想３の遊技機は、技術的思想１又は２に記載の遊技機において、前記発光手段を収容する収容手段と、前記発光手段が配設される発光用基板と、を備え、前記収容手段は、前記発光用基板を支持し、前記導光手段が少なくとも第１位置で固定される支持手段と、前記導光手段と遊技者との間を遮蔽可能に構成される遮蔽手段と、を備え、前記第１位置は、前記遮蔽手段の外形の外方に配置される。
＜効果＞
技術的思想１記載の遊技機によれば、発光演出の演出効果を良好とすることができる。
技術的思想２記載の遊技機によれば、技術的思想１記載の遊技機の奏する効果に加え、発光手段を基準とした位置関係で段階的に発光態様を変化させることができる。
技術的思想３記載の遊技機によれば、技術的思想１又は２に記載の遊技機の奏する効果に加え、導光手段の取り扱いを容易とすることができる。
＜符号の説明＞
１０                                          パチンコ機（遊技機）
１１                                          外枠（第２支持手段）
１２                                          内枠（受入手段）
１３                                          遊技盤（遊技手段）
１４                                          正面枠（閉塞手段）
１４ｄ２                                      補助凸部（凹設部の一部）
１７                                          上皿（受容皿の一部）
５０                                          下皿（受容皿の一部、遊技球保持部の一部）
６８                                          戻り球防止部材（一方向妨害手段）
８１                                          第３図柄表示装置（表示手段）
１４５，９１４５，１０１４５                  ファール球通路部（ファール球通路）
１５９                                        開閉規制部（閉塞規制部）
１７３                                        長尺カバー部材（解消手段の一部）
１７８                                        逆カップ部（配置手段の一部、第１手段、侵入規制部、解消手段の一部）
１８０                                        結束可動部材（配置手段の一部、第２手段、支持手段）
３００、２３００、３３００、４３００、５３００、６３００、７３００
操作デバイス
３１０、２３１０、３３１０、４３１０          傾倒装置（傾倒手段、操作手段、第１手段）
３１１ｇＬ、３３１１ｇＬ                      左側検出片（連打判別手段の一部、位置差検出手段の一部、移動向き判断手段の一部）
３１１ｇＲ                                    右側検出片（連打判別手段の一部、終端検出手段の一部、位置差検出手段の一部、移動向き判断手段の一部）
３１２ａ１                                    操作面（操作手段の一部）
３１４                                        軸部（軸棒）
３１５                                        ねじりバネ（付勢手段）
３２４Ｌ                                      左側検出センサ（連打判別手段の一部、位置差検出手段の一部、移動向き判断手段の一部）
３２４Ｒ                                      右側検出センサ（連打判別手段の一部、終端検出手段の一部、位置差検出手段の一部、移動向き判断手段の一部）
３３０                                        上枠部材（収容手段の一部）
３３１                                        開口部（第１開口部）
３３２                                        上側軸受け部（支持部の一部）
３４０、５３４０、６３４０                    駆動装置（駆動手段、第１駆動手段）
３４１                                        本体部材（摩擦部材の一部）
３４１ｆ                                      ＬＥＤ装置（発光手段）
３４３                                        伝達軸棒（伝達手段の一部）
３４３ａ                                      円柱部材（伝達手段の一部）
３４３ｂ                                      伝達ギア（駆動手段の一部、解除手段の一部）
３４３ｂ２                                    クラッチ部（係合歯）
３４３ｃ                                      可動クラッチ（伝達手段の一部、解除手段の一部）
３４３ｃ２                                    クラッチ部（係合歯）
３４３ｄ                                      コイルバネ（付勢手段）
３４４、６３４４、７３４４                    円板カム（伝達手段の一部、終端手段の一部、解除負荷手段の一部）
３４４ｃ                                      係合リブ（解除負荷手段の一部）
３４４ｄ                                      連結ピン（凸設部）
３４５                                        アーム部材（伝達手段の一部、終端手段の一部）
３４６、２３４６、７３４６                    解除部材（維持手段の一部、第１手段の一部、摩擦部材の一部）
３４７、７３４７                              回転爪部材（維持手段の一部、第１手段の一部）
３５２                                        ボイスコイルモータ（第２駆動手段、反発手段）
４１０                                        上側枠部材（支持締結手段）
４５１                                        スピーカー（音響手段）
４５３                                        スピーカー接続線（通過部材）
４６０                                        前側組立（第１手段）
４６４                                        配線通過凹部（開口部の一部）
４６７                                        通路形成リブ（屈曲手段、突設部）
４８０                                        後側組立（第２手段）
４８１Ｈａ                                    補助凸部（開口部の一部）
４８４                                        配線押圧凸部（開口部の一部）
４８７                                        通路形成リブ（屈曲手段、突設部）
５００                                        右パネルユニット（演出手段）
５００Ｌ                                      左重板ユニット（第１手段）
５００Ｒ                                      右重板ユニット（第２手段）
５１０                                        支持板部（被連結手段）
５１２ａ                                      ＬＥＤ（光照射手段）
５３１ｂ、５３１ｃ                            支持孔（連結部の一部）
５３２                                        傾斜リブ部（当接手段）
５４０                                        導光部材（第３手段、導光手段）
５５１ｂ                                      凸設部（連結部の一部）
６００                                        盤面支持装置（状態変化手段）
６２０                                        回転前爪部材（近接手段）
６４０                                        回転後爪部材（当接手段）
８０１                                        支持基材（ベース部材）
８０２                                        花弁（第２変位手段の一部）
８０４                                        中央モータ（駆動手段）
８３０                                        回転板（第１変位手段）
８５１                                        中央軸部材（軸手段）
８８０                                        遊嵌装置（第３変位手段）
２０６２ｃ                                    ファール球通路（ファール球通路）
２３４７                                      回転板部材（維持手段の一部）
２３４８                                      スライド爪部材（維持手段の一部）
２８８８                                      規制部（抵抗手段）
４３２１ｄ                                    上側検出センサ（検出センサ）
４３２１ｅ                                    下側検出センサ（検出センサ）
５３２０                                      下枠部材（支持枠の一部）
５３４４                                      円板カム（伝達手段の一部、終端手段の一部、解除負荷手段の一部、カム部材）
５４００                                      振動装置（振動手段、反発手段）
５４１１                                      駆動モータ（低耐水部）
５４１２                                      錘部材（振動部、反発手段の一部）
５４２０                                      柔軟部材（支持手段、反発手段の一部）
５４３０                                      収容部材（受け手段、反発手段の一部、支持枠の一部）
６３４４Ｌ１、６３４４Ｒ１                    円板部材（第１回転部材）
６３４４Ｌ２、６３４４Ｒ２                    リング部材（第２回転部材）
７３４４Ｌ１、７３４４Ｒ１                    円板部材（伝達手段の一部、終端手段の一部）
７３４４Ｌ３、７３４４Ｒ３                    係合部材（解除負荷手段）
８３２０                                      下枠部材（収容手段の一部）
８３２６ａ                                    第１貫通孔（第２開口部の一部）
８３２６ｂ                                    第２貫通孔（第２開口部の一部）
８３２６ｃ                                    第３貫通孔（第２開口部の一部）
９１４２ａ                                    右傾斜面（払出球排出部の一部）
９１５０、１０１５０                          板金部材（一方向妨害手段、負荷手段）
９１４５ｂ、１０１４５ｃ                      切り欠き（凹設部の一部）
１００１４                                    正面枠（第１支持手段の一部、保持手段の一部）
１００１４ａ                                  金属本体部（保持手段の一部）
１０１４５ｄ                                  転動板部（規制手段）
１０３１０                                    首振り操作部材（操作手段の一部、操作部の一部）
１０３２１                                    左前カバー（第１支持手段の一部）
１０３２２                                    右前カバー（第１支持手段の一部）
１０３３０                                    内側ケース部材（当接手段の一部、本体部の一部）
１０３４０                                    レバー部材（連結部の一部）
１０３６６                                    振動装置（振動手段の一部）
６４００                                      下皿ユニット（遊技球保持部の一部）
６４１３                                      突設形状部
６４１４                                      凹設形状部
６４２７                                      樹脂部材（衝撃減衰手段）
６４５１                                      本体部（受入凹設部の一部）
６４５５                                      右側補強リブ（受入凹設部の一部）
６４５６                                      左側補強リブ（受入凹設部の一部）
６５１０                                      上蓋部材（連結手段の一部）
６５２０                                      光伝送ユニット（受光手段の一部）
６５２１ｂ                                    受光突設部（第１受光手段の一部、挿通部の一部）
６５２１ｄ                                    通光孔（第２受光手段の一部）
６５２１ｅ                                    本体筒部（光導通部の一部）
６５２２                                      フランジ部（抜き境界面部）
６５４０                                      区画ユニット（受光手段の一部、第１手段の一部、固定手段の一部）
６５４５                                      案内後締結部（固定手段の一部、第２固定手段または第１固定手段）
６５４７ｃ                                    突設リブ（抑制手段の一部）
６５４８                                      透明覆設部材（抑制手段の一部）
６５５０                                      板案内ユニット（第２手段の一部、固定手段の一部）
６５５２                                      延設板部（外形面の一部）
６５５４ａ                                    螺入部（固定手段の一部、第１固定手段または第２固定手段）
６５５５                                      背面側締結部（固定手段の一部、第１固定手段または第２固定手段）
６５５８                                      受光部材（受光手段の一部）
６５６０                                      区画部材（第１部材、第１手段の一部、収容手段の一部、区画手段の一部）
６５６２ａ                                    拡大孔（非挿通貫通孔の一部）
６５６２ｂ                                    直入孔（貫通孔の一部）
６５６５                                      大径円筒部（規制手段の一部）
６５７０                                      電飾基板（発光手段の一部、発光用基板の一部）
６５７４ａ                                    エッジ発光部（発光手段の一部）
６５７４ｂ                                    面発光部（発光手段の一部）
６５８０                                      背面支持部材（第２部材、第１手段の一部、収容手段の一部）
６６１０                                      音響装置（振動手段の一部、報知手段の一部、第４手段の一部）
６６２１                                      抜け止め板部（対向部の一部、抑制手段の一部、報知手段の一部）
６６２２                                      接触回避凹部（対向部の一部、抑制手段の一部、報知手段の一部）
６７１０                                      ベース部材（収容手段の一部）
６７２０                                      電飾基板（発光手段の一部、発光用基板の一部、第３手段の一部）
６７３０                                      受光部材（導光手段の一部）
６７３１                                      受光面部（第２導光手段の一部、本体部の一部、覆設部）
６７３２                                      内側延設部（枠部の一部）
６７３３                                      外側延設部（枠部の一部）
６７３４                                      長尺リブ（第１導光手段の一部、対向延設部）
６７３５                                      フィン（第１導光手段の一部、離反延設部）
６７３６                                      挿通孔（支持手段の一部）
６７３７                                      嵌合部（位置ずれ防止部の一部）
６７４０                                      平板部材（収容手段の一部、遮蔽手段の一部）
６７５０                                      湾曲板部材（収容手段の一部、遮蔽手段の一部）
６７５１ａ                                    装飾突設部（位置ずれ防止部の一部）
６７６０                                      カバー部材（収容手段の一部、遮蔽手段の一部）
６８０２Ｌ                                    締結部（支持部の一部）
６８０２Ｒ                                    挿通孔（支持部の一部）
１８８３０                                    電飾基板（発光手段の一部）
Ｄ１ａ                                        エッジ発光部（全反射発光部の一部）
Ｄ２３                                        筋状部
Ｄ２４                                        端筋状部（筋状部の一部）
Ｅ１                                          報知装置（検出手段）
ＦＣ                                          検出スイッチ（検出手段の一部）
Ｐ１ａ                                        変形部（変形部）
Ｒｍ１                                        内側縁部（干渉手段の一部）
Ｓ５２                                        終端領域（占有領域）
ＳＬ２                                        Ｓ字経路（折曲部）
Ｖ１３、Ｖ１４                                隙間
【手続補正１０】
【補正対象書類名】明細書
【補正対象項目名】２５６０
【補正方法】変更
【補正の内容】
【２５６０】
１０                                          パチンコ機（遊技機）
１２                                          内枠（受入手段）
１３                                          遊技盤（遊技手段）
１４                                          正面枠（閉塞手段）
１７８                                        逆カップ部（配設手段）
１７８ａ                                      壁部（第２延設部）